(57)【特許請求の範囲】
【請求項１】
アーチェリーにおいて使用されるサイトカバー装置であって、
レンズが内設されたサイトの外側部に設けられた軸保持部に保持された揺動軸と、
前記揺動軸に揺動自在に支持され、一方側に揺動して前記サイトの的側開口部を覆う的側カバー部と、他方側に揺動して前記サイトの弦側開口部を覆う弦側カバー部とを有するカバーと、
前記カバーを水平状態に保持するように揺動軸回りのモーメントを生じさせるバランスウエイトとを備え、
前記カバーが前記バランスウエイトにより水平状態に保持されることにより、前記サイトが水平ないしほぼ水平状態となる行射姿勢では前記カバーの的側カバー部が前記サイトの的側開口部を覆わずかつ前記カバーの弦側カバー部が前記サイトの弦側開口部を覆わず、前記サイトの的側開口部が上向きないし斜め上向きになる場合には前記カバーの的側カバー部が前記サイトの的側開口部を覆い、前記サイトの弦側開口部が上向きないし斜め上向きになる場合には前記カバーの弦側カバー部が前記サイトの弦側開口部を覆う、サイトカバー装置。
【請求項２】
前記カバーは前記揺動軸に揺動自在かつ着脱自在に取付可能な枢着凹部が設けられた請求項１に記載したサイトカバー装置。
【請求項３】
アーチェリーにおいて使用されるサイトカバー装置であって、
レンズが内設されたサイトの外側部に設けられた軸保持部に揺動自在に保持された揺動軸と、
前記揺動軸に支持され、一方側に揺動して前記サイトの的側開口部を覆う的側カバー部と、他方側に揺動して前記サイトの弦側開口部を覆う弦側カバー部とを有するカバーと、
前記カバーを水平状態に保持するように揺動軸回りのモーメントを生じさせるバランスウエイトとを備え、
前記カバーが前記バランスウエイトにより水平状態に保持されることにより、前記サイトが水平ないしほぼ水平状態となる行射姿勢では前記カバーの的側カバー部が前記サイトの的側開口部を覆わずかつ前記カバーの弦側カバー部が前記サイトの弦側開口部を覆わず、前記サイトの的側開口部が上向きないし斜め上向きになる場合には前記カバーの的側カバー部が前記サイトの的側開口部を覆い、前記サイトの弦側開口部が上向きないし斜め上向きになる場合には前記カバーの弦側カバー部が前記サイトの弦側開口部を覆う、サイトカバー装置。
【請求項４】
前記軸保持部は前記揺動軸を揺動自在かつ着脱自在に保持可能な枢着凹部が設けられた請求項３に記載したサイトカバー装置。
【請求項５】
前記軸保持部は前記サイトに一体的に設けられた請求項１〜４のいずれか１項に記載したサイトカバー装置。
【請求項６】
アーチェリーにおいて使用されるレンズ付きサイト装置であって、
レンズが内設されたサイトと、
請求項１〜５のいずれか１項に記載したサイトカバー装置とを備えたレンズ付きサイト装置。
【発明の詳細な説明】
【０００１】
【発明が属する技術分野】
本発明は、アーチェリーにおいて使用されるレンズ付きサイトおよびそのサイトカバーに関する。
【０００２】
【従来の技術】
アーチェリー競技やその練習などの際に、矢の命中精度を向上させるため、サイト（照準器）が使用される場合がある。サイト１０１は、図１０に示すように、射手が弓１０２を持ち上げ、矢１０５を弦１０６につがえた状態で的を狙う行射姿勢において、的の中心と視点とを結ぶ直線上に配置され、弓１０２の本体部１０３（ハンドルライザー）に取り付けられたサイト取付台１０４に取り付けられる。
【０００３】
この種のサイト１０１には、図９に示すように、筒状をしたサイト本体１１２の内部に的の中心に視線を合わせる標線部１１１のほか、的中心を拡大して見やすくするためのレンズ１１４が設けられたレンズ付きサイトがある。また、サイト１０１は、通常、前記サイト取付台１０４に取り付けるためのサイト取付軸１１３が設けられている。
【０００４】
また、前記サイト取付台１０４は、図９に示すように、弓１０２の本体部１０３に取り付けるアーム部１１５と、上下方向に移動停止可能な昇降ブロック１１６を備えた昇降手段１１７と、前記昇降ブロック１１６に設けられた左右方向に移動停止可能な横移動ブロック１１８とを備え、前記横移動ブロック１１８にはサイト取付軸１１３を固定するサイト固定ブロック１１９がボルトにより取り付けられる。
【０００５】
前記昇降手段１１７は、アーム部１１５に垂直に取付られ、その上下端部に一対の支持体１２０，１２０が設けられたフレーム部１２１と、前記支持体１２０，１２０に並設された縦案内ロッド１２２と縦送りねじ１２３とを有し、前記昇降ブロック１１６は前記縦案内ロッド１２２が摺動自在に装着され、また前記縦送りねじ１２３が螺合されている。また、前記昇降ブロック１１６は左右両端部に一対の支持板１２６，１２６が設けられ、この支持板１２６，１２６に横案内ロッド１２７および横送りねじ１２８が並設され、前記横移動ブロック１１８には前記横案内ロッド１２７が摺動自在に装着され、また前記横送りねじ１２８が螺合されている。また、前記横移動ブロック１１８の前端面にはサイト固定ブロック１１９がボルトにより取り付けられる。
【０００６】
上記サイト取付台１０４によれば、縦送りねじ１２３を回動停止することで昇降ブロック１１６は上下方向に昇降停止自在となり、また横送りねじ１２８を回動停止することで横移動ブロック１１８も左右方向に移動停止自在となる。従って、横移動ブロック１１８にサイト固定ブロック１１９を介して取付られたサイト１０１も的の方向に対して上下、左右に調整可能となっている。
【０００７】
【発明が解決しようとする課題】
アーチェリー競技の場合、行射は競技者が順番に行い、行射の待機中は、図１１に示すように、弓１０２のグリップ部をスタンド１３１のＵ字状保持部１３２に掛けて保持しておくのが通例である。また、練習などを行う場合でも、行射の合間や休憩のときは、弓１０２が倒れたり、弓具に負担がかかることがないように、弓１０２をスタンド１３１に保持しておくのが一般的である。スタンド１３１に保持された弓１０２は、弓１０２の弦（ストリング）が下方となり、この状態ではサイト１０１は上下方向を向いている。
【０００８】
アーチェリー競技やその練習などは、雨天の野外でも行われ、この場合にはスタンド１３１に保持した弓１０２やそれに付設したサイト１０１も雨に濡れることになる。レンズ付きサイトの場合、弓１０２をスタンド１３１に保持した状態では、サイト１０１の的側開口部が上方を向くため、その開口部から雨滴がサイト内に入り、レンズに付着する。こうなると、行射時にサイト１０１の視野が歪んだり、ぼやけたりして、照準が合わせ難くなり、引いては命中率が低下する。また、砂・土のグランドを射場にして競技や練習などが行われる場合、風によって砂埃・土埃が舞い上がり、これらがサイト１０１に入り、レンズに付着すると、サイト１０１の視野を暗くしたり、視野を妨げることになる。
【０００９】
このような不都合を回避するために、サイト１０１にポリ袋等のカバーを被せることが行われる。しかしながら、このようなカバーを用い、行射前にカバーを外すとしても、行射に際して矢を弦につがえたり、行射後のフォロースルーの際には、弓１０２が傾き、サイト１０１の弦側開口部が不可避的に斜め上方を向くようになり、雨滴等が弦側開口部からサイト内に入り、レンズに付着することになる。矢のつがえを速やかに行い、行射後に速やかにカバーを被せるとしても、競技などでは複数の矢を所定の時間内に行射しなければならず、行射間にカバーを被せたり、外したり、またレンズ面を布等で拭うことは時間ロスとなり、引いては精神集中が乱れ、命中率に多大な影響を及ぼす。
【００１０】
この発明は、射手が操作することなく、サイト内に雨滴や砂埃等が入るのを防止することができ、レンズ付きサイトの本来の照準機能を有効に発揮することができるサイトカバー装置およびこのサイトカバー装置を備えたレンズ付きサイト装置を提供するものである。
【００１１】
【課題を解決するための手段】
請求項１に記載した発明は、アーチェリーにおいて使用されるサイトカバー装置であって、レンズが内設されたサイトの外側部に設けられた軸保持部に保持された揺動軸と、前記揺動軸に揺動自在に支持され、一方側に揺動して前記サイトの的側開口部を覆う的側カバー部と、他方側に揺動して前記サイトの弦側開口部を覆う弦側カバー部とを有するカバーと、前記カバーを水平状態に保持するように揺動軸回りのモーメントを生じさせるバランスウエイトとを備え、前記カバーが前記バランスウエイトにより水平状態に保持されることにより、前記サイトが水平ないしほぼ水平状態となる行射姿勢では前記カバーの的側カバー部が前記サイトの的側開口部を覆わずかつ前記カバーの弦側カバー部が前記サイトの弦側開口部を覆わず、前記サイトの的側開口部が上向きないし斜め上向きになる場合には前記カバーの的側カバー部が前記サイトの的側開口部を覆い、前記サイトの弦側開口部が上向きないし斜め上向きになる場合には前記カバーの弦側カバー部が前記サイトの弦側開口部を覆うようにしたものである。
この発明によれば、サイトが水平ないしほぼ水平状態となる行射姿勢においては、カバーはバランスウエイトにより水平状態に保持されるため、カバーの的側カバー部および弦側カバー部のいずれもサイトの的側開口部および弦側開口部を覆わないため、射手はサイトを通して的を狙うことができる。一方、弓がスタンドに保持された状態や、矢を弦につがえる際のように、サイトの的側開口部あるいは弦側開口部が上向きないし斜め上向きになる場合には、バランスウエイトの作用によりカバーが水平状態に保持されるため、カバーがサイトに対して相対的に揺動した結果となり、カバーの的側カバー部あるいは弦側カバー部がサイトの上向き側の的側開口部あるいは弦側開口部を覆うようになる。このため、雨滴等がサイトの上向き側の開口部からサイト内に入ってレンズに付着することがなく、行射姿勢をとった際にサイト内のレンズが有効に機能する。また、カバーは、弓の上げ下ろしに際し、バランスウエイトの作用で水平状態に保持されるため、射手はカバーの揺動を操作する必要がなく、行射に集中することができる。
【００１２】
請求項２に記載した発明は、請求項１に記載したサイトカバー装置において、前記カバーは前記揺動軸に揺動自在かつ着脱自在に取付可能な枢着凹部が設けられたものである。
この発明によると、カバーには揺動軸に揺動自在かつ着脱自在に取付可能な枢着凹部が設けられているので、カバーが不要なときにはカバーを揺動軸から取り外しておけばよく、降雨等の際にはカバーの枢着凹部を揺動軸に取り付けることで、カバーをサイトに容易かつ速やかに装着することができ、使用性に優れる。
【００１３】
請求項３に記載した発明は、アーチェリーにおいて使用されるサイトカバー装置であって、レンズが内設されたサイトの外側部に設けられた軸保持部に揺動自在に保持された揺動軸と、前記揺動軸に支持され、一方側に揺動して前記サイトの的側開口部を覆う的側カバー部と、他方側に揺動して前記サイトの弦側開口部を覆う弦側カバー部とを有するカバーと、前記カバーを水平状態に保持するように揺動軸回りのモーメントを生じさせるバランスウエイトとを備え、前記カバーが前記バランスウエイトにより水平状態に保持されることにより、前記サイトが水平ないしほぼ水平状態となる行射姿勢では前記カバーの的側カバー部が前記サイトの的側開口部を覆わずかつ前記カバーの弦側カバー部が前記サイトの弦側開口部を覆わず、前記サイトの的側開口部が上向きないし斜め上向きになる場合には前記カバーの的側カバー部が前記サイトの的側開口部を覆い、前記サイトの弦側開口部が上向きないし斜め上向きになる場合には前記カバーの弦側カバー部が前記サイトの弦側開口部を覆うようにしたものである。
この発明によっても、請求項１の発明と同様、射手の操作によることなく、行射姿勢外においてサイトの的側開口部あるいは弦側開口部をカバーにて覆うことができ、雨天等の際にレンズに雨滴や砂埃等が付着することがなく、レンズ付きサイトの本来の機能を有効に発揮させることができる。
【００１４】
請求項４に記載した発明は、請求項３に記載したサイトカバー装置において、前記軸保持部は前記揺動軸を揺動自在かつ着脱自在に保持可能な枢着凹部が設けられたものである。
この発明によると、軸保持部にはカバーが支持された揺動軸を揺動自在かつ着脱自在に保持可能な枢着凹部が設けられているので、カバーが不要なときにはカバーを揺動軸ごとサイトから取り外しておけばよく、降雨の際にはカバーを揺動軸ごと軸保持部の枢着凹部に取り付けることで、カバーをサイト側に容易かつ速やかに装着することができ、使用性に優れる。
【００１５】
請求項５に記載した発明は、請求項１〜４のいずれか１項に記載したサイトカバー装置において、前記軸保持部は前記サイトに一体的に設けられたものである。
この発明によると、サイトに軸保持部が一体的に設けられているので、軸保持部をサイトの外側部に設けるための取付部材を別途に設ける必要がなく、カバーの取付構造が簡単になり、製造コストも低減することができる。
【００１６】
請求項６に記載した発明は、アーチェリーにおいて使用されるレンズ付きサイト装置であって、レンズが内設されたサイトと、請求項１〜５のいずれか１項に記載したサイトカバー装置とを備えたものである。
この発明によると、請求項１〜５のいずれか１項に記載したサイトカバー装置により、射手の操作によることなく、行射姿勢外においてサイトの的側開口部あるいは弦側開口部をカバーにて覆うことができる等の効果を奏し、雨天等の際にサイト内のレンズに雨滴や砂埃等が付着することがなく、レンズ付きサイトの本来の機能を有効に発揮させることがきる。
【００１７】
【発明の実施の形態】
以下、本発明の好適な実施形態について図面を参照しながら説明する。
図１〜図３は本発明の実施形態にかかるサイトカバー装置を示しており、このカバー装置１は、レンズ５２が内設されたサイト５１の上部にサイト５１の軸心と直角方向に配置された軸保持部３を備えたカバー取付部材２と、中央部が前記軸保持部３に保持された揺動軸４と、この揺動軸４の両端部に揺動自在に支持され、方形状の天板部の周縁にスカート部が垂下形成されたカバー５と、このカバー５を水平状態に保持するように前記揺動軸４回りのモーメントを生じさせるバランスウエイト６を備えている。
【００１８】
前記サイト５１は、レンズ５２のほか、図例では十字の標線部５３が筒状のサイト本体５０に内設されており、雄ねじが外周部に形成されたサイト取付軸５４がサイト本体５０の中央部から径外方向に突設されている。このサイト取付軸５４は、図９に示したサイト取付台１０４のサイト固定ブロック１１９に取り付けられるものである。ここでは、的に対向するサイト５１の前方の開口部を的側開口部５５、後方の開口部を弦側開口部５６と呼ぶ。
【００１９】
前記カバー取付部材２は、図３に示すように、サイト固定ブロック１１９と共にサイト取付台１０４の横移動ブロック１１８にボルトにて固定される固定板部１１を有し、この固定板部１１からアーム部１２を介してサイト５１の中央上部にサイト軸心と直角方向に軸保持部３が形成され、この軸保持部１３にその両端から軸端が突出するように揺動軸４が保持されている。
【００２０】
前記カバー５には、前記揺動軸４に揺動自在に枢着される一対の支持板１６，１６を備えた門形の支持部材１７がカバー５の天板部の中央下面に設けられており、この支持部材１７の前方部分がサイトの的側カバー部１８を、後方部分が弦側カバー部１９を構成している。すなわち、カバー５が支持部材１７を介して前記揺動軸４の回りを前方に揺動することにより前記的側カバー部１８がサイト５１の的側開口部５５を覆うようになり、後方に揺動することにより前記弦側カバー部１９がサイト５１の弦側開口部５６を覆うようになる。カバー５は、通常、透明、半透明あるいは不透明の合成樹脂により形成され、なるべく軽量にすることが好ましい。なお、前記支持部材１７は、カバー５とは別に成形し、カバーに溶着、接着等により固着してもよく、カバーと一体として成形してもよい。一体成形の場合、門形にする必要はなく、支持板１６をカバーの天板部に垂下形成するようにしてもよい。
【００２１】
前記バランスウエイト６は、カバー５に付設されて、カバー５を水平状態に保持するように揺動軸４回りのモーメントを発生させるものである。図例では、バランスウエイト６はカバー５のスカート部の中央外側面に形成された凸部２１にアーム２２を介してサイト５１の外側横部に配置されるように付設されている。
【００２２】
上記サイトカバー装置１によれば、サイトが水平ないし略水平状態になる行射姿勢においては、バランスウエイト６により、カバー５は水平状態に保持される。このため、射手はカバー５に遮られることなく、サイト５１を通して的を狙うことができる。一方、図４（図１１参照）に示すように、弓がスタンドに保持されてサイト５１の的側開口部５５が鉛直上方を向いている場合や、図５に示すように、弓を持って弦に矢をつがえる際にサイト５１の弦側開口部５６が斜め上方を向いた場合など、サイトが水平ないし略水平状態から外れた場合、バランスウエイト６によりカバー５を水平状態に保持するモーメントが作用する結果、カバー５は揺動軸４の回りを相対的に揺動し、的側カバー部１８がサイト５１の的側開口部５５を、弦側カバー部１９がサイト５１の弦側開口部５６を覆うようになる。従って、降雨中にスタンドに保持された弓を取り上げて、矢をつがえ、行射する一連の動作を行う際、カバー５によってサイト５１内への雨滴等の流入、引いてはレンズ５２への雨滴等の付着が防止され、行射姿勢においてサイト５１内のレンズ５２によって標的を拡大した状態で、的確に狙うことができる。なお、図２〜５において、図中の矢印はサイトの的側開口部５５からサイト中心線方向の外方を示す。
【００２３】
上記実施形態では、カバー取付部材２をサイト取付台１０４のサイト固定ブロック１１９に取り付けることにより、揺動軸４をサイト５１の外側上部に配置するようにしたが、カバー取付部材はサイト取付軸５４に着脱自在に固定するようにしてもよく、またサイト５１自体に着脱自在にカバー取付部材を設けるようにしてもよい。
【００２４】
また、上記実施形態では、カバー取付部材２を設けて、揺動軸４をサイト５１の上部に配置するようにしたが、図６および図７に示すサイトカバー装置１Ａのように、軸保持部３Ａをサイト５１の上部に一体的に形成し、この軸保持部３Ａに揺動軸４を保持するようにしてもよい。前記軸保持部３Ａは、揺動軸４を保持する一対の軸支持板２４，２４を備え、その間にリブ２５が設けられている。
【００２５】
さらに、図７に示すように、支持部材１７の支持板１６Ａの下端部に揺動軸４を着脱自在に枢着する枢着凹部３１を開設するようにしてもよい。前記支持板１６Ａには、枢着凹部３１に連通して揺動軸４を着脱自在に保持する着脱開口部３２が形成されている。この着脱開口部３２は、支持板１６Ａの下端において揺動軸４の外径より大きな幅の導入開口３３が形成され、枢着凹部３１の近傍に揺動軸４の外径よりも小幅で、揺動軸４が前記導入開口３３を通って、前記枢着凹部３１へ装着、脱着される際、着脱開口部３２の両外側部が弾性変形して軸の通過を許容する抜け止め部３４が形成されている。
【００２６】
前記枢着凹部３１を設けることで、何らの工具を用いることなく、カバー５を揺動軸４に着脱自在に取り付けることができ、天気の急変等の場合においても、カバー５をサイト５１に速やかに装着することができる。勿論、図１〜３に示した実施形態においても、カバー取付部材２を設ける一方、揺動軸４に着脱自在に枢着可能な枢着凹部３１を備えた支持板１６Ａをカバー５に設けるようにしてもよい。
【００２７】
また、上記実施形態では、揺動軸４に支持部材１７を介することにより、カバー５を揺動軸４回りに揺動自在に支持するようにしたが、図８に示すサイトカバー装置１Ｂのように、軸保持部３Ｂに揺動軸４を回動自在に設け、この揺動軸４の両端部に支持アーム４１，４１を介してカバー５を支持するようにしてもよい。また、バランスウエイト６もカバー５に直接付設することなく、図示のように、前記揺動軸４にアーム２２Ｂを介して付設するようにしてもよい。
【００２８】
さらにまた、図８に示すように、カバー５に揺動軸４を付設する場合においても、カバー取付部材２の軸保持部として、揺動軸４を揺動自在かつ着脱自在に保持する枢着凹部を設けることで、カバー５を揺動軸４ごと、サイト５１に簡単容易に取り付けることができ、使用性が向上する。この場合においても、枢着凹部を備えた軸保持部をサイト５１の上部に一体的に形成してもよい。
【００２９】
本発明は、上記サイトカバー装置のみならず、上記サイトカバー装置を備えたレンズ付きサイト装置をも含むものであり、サイトとしてはレンズが内設されたものであればよく、標線部は十字形に限らず、種々の形態をとることができ、場合によっては無くてもよい。また、サイトには、標線部に限らず水準器等の適宜の部材を付設することができる。
【００３０】
【発明の効果】
本発明によれば、射手の操作によることなく、弓がスタンドに保持された状態や矢を弦につがえる際のように、サイトの的側開口部あるいは弦側開口部が上向きないし斜め上向きになる場合に、サイトの的側開口部あるいは弦側開口部がカバーにて覆われるため、雨天等の際にサイト内のレンズに雨滴や砂埃等が付着することがなく、レンズ付きサイトの本来の機能を有効に発揮させることがきる。
【図面の簡単な説明】
【図１】実施形態にかかるレンズ付きサイトおよびサイトカバー装置の正面図である。
【図２】実施形態にかかるレンズ付きサイトおよびサイトカバー装置の一部切り欠き側面図である。
【図３】図１のＡ方向矢視図である。
【図４】弓をスタンドに保持した状態におけるレンズ付きサイトとサイトカバー装置の位置関係を示す説明図である。
【図５】矢を弦につがえる際におけるレンズ付きサイトとサイトカバー装置の位置関係を示す説明図である。
【図６】他の実施形態におけるレンズ付きサイトおよびサイトカバー装置の正面図である。
【図７】図６のＡ方向断面矢視図である。
【図８】揺動軸がカバーに付設されたサイトカバー装置の斜視図である。
【図９】レンズ付きサイトおよびサイト取付台の斜視図である。
【図１０】行射姿勢における弓の側面図である。
【図１１】スタンドに保持された弓の側面図である。
【符号の説明】
１，１Ａ，１Ｂ，  サイトカバー装置
２  カバー取付部材
３，３Ａ，３Ｂ  軸保持部
４  揺動軸
５  カバー
６  バランスウエイト
１８  的側カバー部
１９  弦側カバー部
３１  枢着凹部
５１  レンズ付きサイト
５２  レンズ
５５  的側開口部
５６  弦側開口部
【図１】
0004223148.tif 000002
【図２】
0004223148.tif 000003
【図３】
0004223148.tif 000004
【図４】
0004223148.tif 000005
【図５】
0004223148.tif 000006
【図６】
0004223148.tif 000007
【図７】
0004223148.tif 000008
【図８】
0004223148.tif 000009
【図９】
0004223148.tif 000010
【図１０】
0004223148.tif 000011
【図１１】
0004223148.tif 000012